(57)【要約】【課題】  装着するアンテナに応じて，使用できる最大のチャンネルを使用する無線通信装置を提供する。【解決手段】  装着されたアンテナの種別を識別し、識別したアンテナ種別に応じて、所定の無線通信周波数設定プログラムをメモリの所定の実行領域に保持する。【選択図】  図１
2006050223.tif 000002
【特許請求の範囲】
【請求項１】
アンテナ部と、
アンテナ種別識別手段と、
前記アンテナ種別識別手段と接続されたアンテナ種別情報を処理する情報処理手段と、
前記情報処理手段と接続された書き換え可能な記憶手段と、
を有し、
前記アンテナ種別識別手段で識別されたアンテナ種別に応じて、情報処理手段が、所定の無線通信周波数設定プログラムを前記記憶手段の所定の実行領域に保持することを特徴とする無線通信装置。
【請求項２】
アンテナ部と、
アンテナ種別識別手段と、
前記アンテナ種別識別手段と接続された、アンテナ種別情報を処理する情報処理手段と、
前記情報処理手段と接続された、書き換え可能な記憶手段と、
を有し、
前記アンテナ種別識別手段で識別されたアンテナ種別に応じて、情報処理手段が、前記記憶手段に保持されている、複数の無線通信周波数設定プログラムの一つを前記記憶手段の所定の実行領域に保持することを特徴とする無線通信装置。
【請求項３】
請求項１または２において、
前記アンテナ種別識別手段で識別されたアンテナ種別に応じて、通信可能な無線通信周波数の範囲が変更されることを特徴とする無線通信装置。
【請求項４】
請求項１から３のいずれかにおいて、
アンテナ識別手段は、アンテナ部の形状に応じてオン／オフする、１つ以上のスイッチから構成される事を特徴とする無線通信装置。
【請求項５】
請求項４において、
前記情報処理手段は、スイッチからの信号に基づいて、アンテナ種別を判定することを特徴とする無線通信装置。
【請求項６】
請求項５において、
前記スイッチからの信号の論理演算によって、アンテナ種別を判定することを特徴とする無線通信装置。
【請求項７】
請求項１から３において、
アンテナ識別手段は、複数の抵抗素子と、１つ以上の電圧比較素子と、から構成され、
アンテナ部に装着された１つ以上の抵抗素子と、本体側の抵抗素子との、抵抗値の比に応じて生じる電位と、参照電位との比較を電圧比較素子が行うことを特徴とする無線通信装置。
【請求項８】
請求項７において、
前記情報処理手段は、電圧比較素子の出力信号に基づいて、アンテナ種別を判定することを特徴とする無線通信装置。
【請求項９】
請求項８において、
前記電圧比較素子からの信号の論理演算によって、アンテナ種別を判定することを特徴とする無線通信装置。
【発明の詳細な説明】
【技術分野】
【０００１】
本発明は、装着するアンテナに応じて無線通信周波数範囲を変更する無線通信装置に関し、特に、装着するアンテナに応じて、通信可能チャネルを変更する無線通信装置に関する。
【背景技術】
【０００２】
無線ＬＡＮ通信は、通信装置の低価格化と共に、さまざまな場面で利用されるようになってきている。その一つに、建物と建物との間で、１対１で通信を行うビル間通信がある。この場合、指向性のある高利得アンテナを使用する事で、無指向性の低利得アンテナ使用時よりも通信距離を大幅に伸ばすことができる。
【０００３】
2．4GHz帯無線ＬＡＮ通信に関しては、日本国内では、低利得アンテナは１〜１４チャネル（中心周波数が2412MHz〜2484MHz）まで使用できる。一方で指向性のある高利得アンテナは、１〜１３チャネル（中心周波数が2412MHz〜2472MHz）に限って使用が許されている。
【０００４】
このため、従来は、アンテナを付け替えることができ、かつ指向性のある高利得アンテナを装着できる無線LAN通信装置においては、通信チャネルは１〜１３に限られていた。
【０００５】
従来、特許文献１のように、通信時の環境に応じて、通信チャネルを変更することは検討されているが、利用するアンテナに応じたチャネル変更については検討されていない。
【特許文献１】特開２００３−３７６０７号公報
【発明の開示】
【発明が解決しようとする課題】
【０００６】
上の無線LAN通信装置では、アンテナを低利得なものに付け替えた場合、１４チャネルを使用できるのにも関わらず、高利得アンテナ使用時の制限によって、１４チャネルを使用することができなかった。使用できる通信チャネル数が少ないことにより、利用者が不便を被っていた。
【０００７】
本発明は、上述の課題に鑑みてなされたもので、その目的とするところは、装着するアンテナに応じて、使用できる最大のチャンネルを使用する無線通信装置を提供することである。
【課題を解決するための手段】
【０００８】
本発明の無線通信装置は、アンテナ部と、アンテナ種別識別手段と、前記アンテナ種別識別手段と接続された、アンテナ種別情報を処理する情報処理手段と、前記情報処理手段と接続された、書き換え可能な記憶手段とを有し、前記アンテナ種別識別手段で識別されたアンテナ種別に応じて、情報処理手段が、所定の無線通信周波数設定プログラムを、前記記憶手段の所定の実行領域に保持することを特徴とする。
【発明の効果】
【０００９】
本発明によれば、アンテナ種別に応じて、周波数設定プログラムを変更することが可能となり、チャネルを最大限使用できる。
【発明を実施するための最良の形態】
【００１０】
図１は、アクセスポイント装置のブロック図である。
【００１１】
無線LANのデータ受信時、無線信号はアンテナ部101より取り込まれ、高周波処理部102においてベースバンド信号へと変換される。変換されたベースバンド信号は、ベースバンド処理部103でディジタルデータに変換される。変換されたディジタル信号は、媒体アクセス制御部104において、所定のデータフォーマットに変換され、制御・演算処理部106へと送られる。無線データ送信時は、これとは逆にデータが流れる。
【００１２】
105は、現在装着されているアンテナの種別を識別するアンテナ種別識別部である。106は、装置全体を制御し、データ処理する制御・演算処理部である。107は有線のローカルエリアネットワークに接続するための有線LAN通信部、108は各種情報を保持するメモリ、109はスイッチ、LED等の入出力部である。
【００１３】
アンテナ種別識別部105は、４つのツメ受け部とスイッチから構成されている（図３）。300は、無線LAN通信装置内のアンテナとの接合部である。301はツメ受け部兼スイッチ1、302はツメ受け部兼スイッチ2、303はツメ受け部兼スイッチ3、304はツメ受け部兼スイッチ4、305はアンテナ端子接合部、311は信号線1、312は信号線2、313は信号線3、314は信号線4、315はアンテナ信号線である。3000は、アンテナ部101の無線LAN通信装置との接合部である。3001はツメ1、3004はツメ4、3005はアンテナ端子である。
【００１４】
接合部3000の形状は、低利得アンテナのものとする。
【００１５】
接合部300と3000とが接合すると、305と3005とが接合され、アンテナ部101と高周波処理部102とが接続される。同時に301と3001とが接合され、スイッチ1がONになり、その旨が信号線311を伝わる。304と3004に関しても同様である。302、303に関しては、スイッチはOFFであり、その旨が信号線312、313を伝わる。信号線311〜314は制御・演算処理部106と接続されている。制御・演算処理部106ではスイッチ1〜4からの信号をまとめて受け取る（図４）。
【００１６】
制御・演算処理部106は、スイッチ1〜4からの信号に基いて、現在装着されているアンテナ種別を判定する。今回はスイッチ1、2、3、4が、ON、OFF、OFF、ONであるという情報によって、装着されているアンテナが低利得アンテナであると判定する。この判定は、制御・演算処理部106が、図５のような表を管理することで行ってもよいし、ON=真、OFF=偽と定義して、論理演算
（（低利得アンテナ）＝（スイッチ１）・!（スイッチ２）・！（スイッチ３）・（スイッチ４）
〔！は論理否定、・は論理積を表す〕）を行ってもよい。
【００１７】
メモリ108には、入出力部109や有線LAN通信部などを介したユーザの操作によって通信チャネルを設定できる、チャネル設定プログラムが保持されている。また別の領域には、通信チャネルとして、1チャネルから13チャネルまでを選択できる1〜13Ch．設定プログラムと、1チャネルから14チャネルまでを選択できる1〜14Ch．設定プログラムとが保持されている（図６）。アンテナ脱着時または定期的に、制御・演算処理部106は、装着アンテナの状態をアンテナ種別識別部105より取得する。制御・演算処理部106において、装着されているアンテナが低利得アンテナであると判定されると、1〜14Ch．設定プログラムが、チャネル設定プログラムの領域にロードされる（図７）。これにより、利用者は1〜14チャネルのうち、任意のチャネルを選択することが可能となる。
【００１８】
装着されているアンテナが高利得アンテナであると判定されると、1〜13Ch．設定プログラムが、チャネル設定プログラムの領域にロードされる（図８）。これにより、日本国内の無線規格に準拠した無線LAN通信装置が提供できる。
【００１９】
以上述べた通り、装着するアンテナに応じて、使用できる最大のチャンネルを使用する無線LAN通信装置を提供することが可能となる。
【００２０】
別の実施例では、アンテナ種別識別部105のみが実施例１で示したものとは異なる形態をとる。図９において、900は、無線LAN通信装置内のアンテナとの接合部である。901は本体側端子1、902は本体側端子2、903はアンテナ端子接合部、911は信号線1、912は信号線2、913はアンテナ信号線である。9000は、アンテナ部101の無線LAN通信装置との接合部である。9001はアンテナ側端子1、9002はアンテナ側端子2、9003はアンテナ端子、9004は固定抵抗である。
【００２１】
接合部900と9000とが接合すると、903と9003とが接合され、アンテナ部101と高周波処理部102とが接続される。同時に901と9001とが接合され、902と9002とが接合される。
【００２２】
図１０は本実施例のアンテナ種別識別部105の回路図である。905は1kΩの固定抵抗、906と907は電圧比較器、916と917は各電圧比較器の出力である。電圧比較器は、＋入力と−入力との電位差を比較し、（＋入力電位）≧（−入力電位）であればHiレベルの電圧を出力し、（＋入力電位）＜（−入力電位）であればLowレベルの電圧を出力する。現在、906と907の−入力には各々2Vと1Vの電圧が加えられている。
【００２３】
低利得アンテナの固定抵抗9004の抵抗値は1kΩである。接合部900と9000とが接合すると、902の電位は1。5Vとなる。この値が電圧比較器906と907の＋入力に入り、916にはLow、917にはHiレベルの電圧が現れる。
【００２４】
高利得アンテナの固定抵抗9004の抵抗値は9kΩである。接合部900と9000とが接合すると、902の電位は0。3Vとなる。この値が電圧比較器906と907の＋入力に入り、916、917共にLowレベルの電圧が現れる。
【００２５】
916、917は制御・演算処理部106と接続されている。制御・演算処理部106ではこれらの信号をまとめて受け取る。（図１１）
以上の仕組みにより、アンテナ種別識別部105が実現できる。
【図面の簡単な説明】
【００２６】
【図１】本発明のアクセスポイント装置のブロック図。
【図２】低利得アンテナと高利得アンテナ使用時の通信範囲を表した図。
【図３】第一実施例のアンテナ種別識別部。
【図４】アンテナ種別識別部からの信号一覧。
【図５】アンテナ種別と信号一覧との対応表。
【図６】メモリマップの一部。
【図７】1〜14Ch設定プログラムがロードされたことを表す図。
【図８】1〜13Ch設定プログラムがロードされたことを表す図。
【図９】第二実施例のアンテナ種別識別部。
【図１０】第二実施例のアンテナ種別識別部の回路図。
【図１１】第二実施例のアンテナ種別と信号一覧との対応表。
【符号の説明】
【００２７】
101  アンテナ部
102  高周波処理部
103  ベースバンド処理部
104  媒体アクセス制御部
105  アンテナ種別識別部
106  制御・演算処理部
107  有線LAN通信部
108  メモリ
109  入出力部
【図１】
2006050223.tif 000003
【図２】
2006050223.tif 000004
【図３】
2006050223.tif 000005
【図４】
2006050223.tif 000006
【図５】
2006050223.tif 000007
【図６】
2006050223.tif 000008
【図７】
2006050223.tif 000009
【図８】
2006050223.tif 000010
【図９】
2006050223.tif 000011
【図１０】
2006050223.tif 000012
【図１１】
2006050223.tif 000013